(57)【特許請求の範囲】
【請求項１】
第１のアンテナに結合される第１のアンテナインターフェース回路であって、前記第１のアンテナインターフェース回路は第１および第２のバンドのために前記第１のアンテナに結合される第１のクアドプレクサを、並びに第３および第４のバンドのために前記第１のアンテナに結合される第１のマルチプレクサを備え、前記第１のクアドプレクサは前記第１のバンドのために第１の送信フィルタ並びに第１の受信フィルタを、前記第２のバンドのために第２の送信フィルタ並びに第２の受信フィルタを備え、前記第１のマルチプレクサは前記第３および第４のバンドのために送信および受信信号をフィルタするように構成される、第１のアンテナインターフェース回路と、
第２のアンテナに結合される第２のアンテナインターフェース回路であって、前記第２のアンテナインターフェース回路は前記第１および第２のバンドのために前記第２のアンテナに結合される第２のクアドプレクサを、並びに前記第３および第４のバンドのために前記第２のアンテナに結合される第２のマルチプレクサを備え、前記第２のクアドプレクサは前記第１のバンドのために第３の送信フィルタ並びに第３の受信フィルタを、前記第２のバンドのために第４の送信フィルタ並びに第４の受信フィルタを備え、前記第２のマルチプレクサは前記第３および第４のバンドのために送信および受信信号をフィルタするように構成される、第２のアンテナインターフェース回路と、
を備える、キャリアアグリゲーションのための装置。
【請求項２】
前記第１のアンテナインターフェース回路は、少なくとも前記第１および第２のバンドにおいて信号を同期して送信または同期して受信するように構成される、請求項１に記載の装置。
【請求項３】
前記第１のアンテナインターフェース回路は、第１のダイプレクサをさらに備える、請求項１に記載の装置。
【請求項４】
前記第２のアンテナインターフェース回路は、第２のダイプレクサをさらに備える、請求項３に記載の装置。
【請求項５】
前記第１のアンテナインターフェース回路は、前記第１のダイプレクサと前記第１のアンテナとの間に結合される第１のスイッチをさらに備え、前記第２のアンテナインターフェース回路は、前記第２のダイプレクサと前記第２のアンテナとの間に結合される第２のスイッチをさらに備える、請求項４に記載の装置。
【請求項６】
前記第１のアンテナインターフェース回路は、前記第１のクアドプレクサと前記第１のダイプレクサとの間に結合される第１のスイッチをさらに備える、請求項３に記載の装置。
【請求項７】
前記第１のマルチプレクサは、第３および第４のバンドのための第１のトリプレクサを備える、請求項１に記載の装置。
【請求項８】
前記第２のマルチプレクサは、前記第３および第４のバンドのための第２のトリプレクサを備える、請求項７に記載の装置。
【請求項９】
前記第１のトリプレクサは、前記第３のバンドのための第５の送信フィルタ、前記第４のバンドのための第６の送信フィルタ、および前記第３および第４のバンドのための第５の受信フィルタを備え、前記第２のトリプレクサは、前記第３のバンドのための第７の送信フィルタ、前記第４のバンドのための第８の送信フィルタ、および前記第３および第４のバンドのための第６の受信フィルタを備える、請求項８に記載の装置。
【請求項１０】
前記第１のマルチプレクサは、前記第３および第４のバンドのための第３のクアドプレクサを備える、請求項１に記載の装置。
【請求項１１】
前記第２のマルチプレクサは、前記第３および第４のバンドのための第４のクアドプレクサを備える、請求項１０に記載の装置。
【請求項１２】
前記第１のアンテナインターフェース回路は、第５および第６のバンドのために第５のクアドプレクサまたは第１のトリプレクサをさらに備え、前記第２のアンテナインターフェース回路は、前記第５および第６のバンドのために第６のクアドプレクサまたは第２のトリプレクサをさらに備える請求項１１に記載の装置。
【請求項１３】
前記第１のアンテナインターフェース回路は、
前記第１のクアドプレクサに結合されるローパスフィルタと、
前記第３のクアドプレクサに結合されるハイパスフィルタと
を備えるダイプレクサをさらに備える、請求項１０に記載の装置。
【請求項１４】
前記第１のクアドプレクサは、
第１のバンドのための第１の受信フィルタおよび第１の送信フィルタを備える第１のダイプレクサと、
第２のバンドのための第２の受信フィルタおよび第２の送信フィルタを備える第２のダイプレクサと、
前記第１および第２のダイプレクサの間に結合される整合回路とを備える、請求項１に記載の装置。
【請求項１５】
前記第１のアンテナインターフェース回路は、前記第１のアンテナへの第１のキャリア上の第１の無線周波数信号の経路を設定するように構成されており、前記第２のアンテナインターフェース回路は、前記第２のアンテナへの第２のキャリア上の第２の無線周波数信号の経路を設定するように構成される、請求項１に記載の装置。
【請求項１６】
前記第１のアンテナインターフェース回路は、切替え制御に応答して、前記第１のアンテナへの前記第２の無線周波数信号の経路を設定するように構成されており、前記第２のアンテナインターフェース回路は、前記切替え制御に応答して、前記第２のアンテナへの前記第１の無線周波数信号の経路を設定するように構成される、請求項１５に記載の装置。
【請求項１７】
第１のアンテナに結合される第１のアンテナインターフェース回路を通る第１の無線周波数信号の経路を設定することであって、前記第１のアンテナインターフェース回路は第１および第２のバンドのために前記第１のアンテナに結合される第１のクアドプレクサを、並びに第３および第４のバンドのために前記第１のアンテナに結合される第１のマルチプレクサを備え、前記第１のクアドプレクサは前記第１のバンドのために第１の送信フィルタ並びに第１の受信フィルタを、前記第２のバンドのために第２の送信フィルタ並びに第２の受信フィルタを備え、前記第１のマルチプレクサは前記第３および第４のバンドのために送信および受信信号をフィルタするように構成される、設定することと、
第２のアンテナに結合される第２のアンテナインターフェース回路を通る第２の無線周波数信号の経路を設定することであって、前記第２のアンテナインターフェース回路は前記第１および第２のバンドのために前記第２のアンテナに結合される第２のクアドプレクサを、並びに第３および第４のバンドのために前記第２のアンテナに結合される第２のマルチプレクサを備え、前記第２のクアドプレクサは前記第１のバンドのために第３の送信フィルタ並びに第３の受信フィルタを、前記第２のバンドのために第４の送信フィルタ並びに第４の受信フィルタを備え、前記第２のマルチプレクサは前記第３および第４のバンドのために送信および受信信号をフィルタするように構成される、設定することと、
を備える、キャリアアグリゲーションのための方法。
【請求項１８】
少なくとも前記第１および第２のバンドを同期して送信または同期して受信することをさらに備える、請求項１７に記載の方法。
【請求項１９】
第１のアンテナへの第１の無線周波数信号の経路を設定するための手段であって、前記第１の無線周波数信号の経路を設定するための手段は第１および第２のバンドのために前記第１のアンテナに結合される第１のフィルタリング手段を、並びに第３および第４のバンドのために前記第１のアンテナに結合される第２のフィルタリング手段を備え、前記第１のフィルタリング手段は前記第１のバンドのために送信信号をフィルタするための第１の送信フィルタリング手段並びに受信信号をフィルタするための第１の受信フィルタリング手段を、前記第２のバンドのために送信信号をフィルタするための第２の送信フィルタリング手段並びに受信信号をフィルタするための第２の受信フィルタリング手段を備える、設定するための手段と、
第２のアンテナへの第２の無線周波数信号の経路を設定するための手段であって、前記第２の無線周波数信号の経路を設定するための手段は前記第１および第２のバンドのために前記第２のアンテナに結合される第３のフィルタリング手段を、並びに前記第３および第４のバンドのために前記第２のアンテナに結合される第４のフィルタリング手段を備え、前記第３のフィルタリング手段は前記第１のバンドのために送信信号をフィルタするための第３の送信フィルタリング手段並びに受信信号をフィルタするための第３の受信フィルタリング手段を、前記第２のバンドのために送信信号をフィルタするための第４の送信フィルタリング手段並びに受信信号をフィルタするための第４の受信フィルタリング手段を備える、設定するための手段と、
を備える装置。
【請求項２０】
前記第１の無線周波数信号の経路を設定するための前記手段および前記第２の無線周波数信号の経路を設定するための前記手段は、少なくとも前記第１および第２のバンドを同期して送信または同期して受信することによってキャリアアグリゲーションを行うように構成される、請求項１９に記載の装置。
【発明の詳細な説明】
【技術分野】
【０００１】
[0001]  本開示は、一般に、電子機器に関し、特に、ワイヤレスデバイスのためのアンテナインターフェース回路に関する。
【背景技術】
【０００２】
[0002]  ワイヤレス通信システムにおけるワイヤレスデバイス（例えば、セルラー電話、またはスマートフォン）は、双方向の通信のために、データを送信および受信し得る。ワイヤレスデバイスは、データ送信のための送信機およびデータ受信のための受信機を含み得る。データ送信のために、送信機は、データによって無線周波数（ＲＦ）キャリア信号を変調して変調されたＲＦ信号を獲得し、変調されたＲＦ信号を増幅して適切な出力電力レベルを有する出力ＲＦ信号を獲得し、そして、アンテナを介して基地局に出力ＲＦ信号を送信し得る。データ受信のために、受信機は、アンテナを介して受信されたＲＦ信号を獲得し得、受信されたＲＦ信号を増幅および処理して、基地局によって送信されたデータを回復し得る。
【０００３】
[0003]  ワイヤレスデバイスは、キャリアアグリゲーションをサポートし得る、キャリアアグリゲーションとは、複数のキャリアにおける同期した動作である。キャリアは通信のために使用される周波数の範囲を指し得、特定の特徴に関連付けられ得る。例えば、キャリアは、キャリアにおける動作を表す制御情報および／またはシステムに関連付けられ得る。キャリアは、コンポーネントキャリア（ＣＣ）、周波数チャネル、セルなどとも呼ばれ得る。ワイヤレスデバイスによってキャリアアグリゲーションを有効にサポートすることが望ましい。
【図面の簡単な説明】
【０００４】
【図１】ワイヤレスシステムと通信するワイヤレスデバイスを示す。
【図２】キャリアアグリゲーション（ＣＡ）の様々な例を示す。
【図３】図１のワイヤレスデバイスのブロック図を示す。
【図４Ａ】キャリアアグリゲーションをサポートするＲＦフロントエンドユニットの様々な例示的な設計を示す。
【図４Ｂ】キャリアアグリゲーションをサポートするＲＦフロントエンドユニットの様々な例示的な設計を示す。
【図４Ｃ】キャリアアグリゲーションをサポートするＲＦフロントエンドユニットの様々な例示的な設計を示す。
【図４Ｄ】キャリアアグリゲーションをサポートするＲＦフロントエンドユニットの様々な例示的な設計を示す。
【図４Ｅ】キャリアアグリゲーションをサポートするＲＦフロントエンドユニットの様々な例示的な設計を示す。
【図４Ｆ】キャリアアグリゲーションをサポートするＲＦフロントエンドユニットの様々な例示的な設計を示す。
【図４Ｇ】キャリアアグリゲーションをサポートするＲＦフロントエンドユニットの様々な例示的な設計を示す。
【図５】キャリアアグリゲーションをサポートするＲＦフロントエンドユニットの様々な例示的な設計を示す。
【図６】２つのバンドのためのクアドプレクサの例示的な設計を示す。
【図７】キャリアアグリゲーションをサポートするためのプロセスを示す。
【発明を実施するための形態】
【０００５】
[0010]  以下の詳細な説明は、本願の複数の例示的な設計の１つの説明として意図されており、本開示が実施されることができる唯一の設計を示すことは意図されない。「例示的な」という用語は、「例、事例、または実例としての役割を果たす」ことを意味するために本書に使用される。「例示的」なものとして本書に記述されるどの設計も、他の設計より好ましい、または有利であると、必ずしも解釈されない。この詳細な説明は、本開示の例示的な設計の完全な理解を提供するために、具体的な詳細を含む。本書に記述された例示的な設計がこれらの具体的な詳細なしでも実施され得ることは、当業者には明らかであろう。いくつかの事例では、周知の構造およびデバイスが、本書に示される例示的な設計の新規性を曖昧にすることを避けるために、ブロック図の形式で示される。
【０００６】
[0011]  複数のアンテナを介して複数のバンド上での複数のキャリアアグリゲーションを効率的にサポートできるアンテナインターフェース回路が、本書に開示される。これらアンテナインターフェース回路は、様々な利点を提供でき、ワイヤレス通信デバイスのような様々な種類の電子デバイスのために使用され得る。
【０００７】
[0012]  図１は、ワイヤレス通信システム１２０と通信するワイヤレスデバイス１１０を示す。ワイヤレスシステム１２０は、ロングタームエボリューション（ＬＴＥ）システム、符号分割多元接続（ＣＤＭＡ）システム、グローバルシステムフォーモバイルコミュニケーションズ（ＧＳＭ）（登録商標）システム、ワイヤレスローカルエリアネットワーク（ＷＬＡＮ）システム、またはその他何らかのワイヤレスシステムであり得る。ＣＤＭＡシステムは、広帯域ＣＤＭＡ（ＷＣＤＭＡ）（登録商標）、ＣＤＭＡ  １Ｘ、時分割同期ＣＤＭＡ（ＴＤ−ＳＣＤＭＡ）、またはその他何らかのバージョンのＣＤＭＡを実施し得る。簡潔さのために、図１は、２つの基地局１３０および１３２と、１つのシステム制御装置１４０を含むワイヤレスシステムを示す。一般に、ワイヤレスシステムは、任意の数の基地局およびネットワークエンティティの任意のセットを含み得る。
【０００８】
[0013]  ワイヤレスデバイス１１０は、ユーザ装置（ＵＥ）、移動局、端末、アクセス端末、加入者ユニット、局などとも呼ばれ得る。ワイヤレスデバイス１１０は、セルラー電話、スマートフォン、タブレット、ワイヤレスモデム、携帯情報端末（ＰＤＡ）、携帯用デバイス（handheld device）、ラップトップコンピュータ、スマートブック、ネットブック、コードレス電話、ワイヤレスローカルループ（ＷＬＬ）局、ブルートゥース（登録商標）デバイスなどであり得る。ワイヤレスデバイス１１０は、ワイヤレスシステム１２０と通信することが可能であり得る。ワイヤレスデバイス１１０は、複数の放送局（例えば、放送局１３４）からの信号、１つ以上の全地球的航法衛星システム（ＧＮＳＳ）における複数の衛星（例えば、衛星１５０）からの信号などを受信することが可能であり得る。ワイヤレスデバイス１１０は、ＬＴＥ、ＷＣＤＭＡ、ＣＤＭＡ １Ｘ、ＴＤ−ＳＣＤＭＡ、ＧＳＭ、８０２．１１などのワイヤレス通信のための１つ以上の無線技術をサポートし得る。
【０００９】
[0014]  ワイヤレスデバイス１１０は、複数のキャリア上の動作であるキャリアアグリゲーションをサポートし得る。キャリアアグリゲーションはマルチキャリア動作とも呼ばれ得る。ワイヤレスデバイス１１０は、１０００メガヘルツ（ＭＨｚ）より低い周波数をカバーするローバンド（ＬＢ）において、１０００ＭＨｚから２３００ＭＨｚの周波数をカバーするミッドバンド（ＭＢ）において、および／または、２３００ＭＨｚより高い周波数をカバーするハイバンド（ＨＢ）において動作可能であり得る。例えば、ローバンドは６９８乃至９６０ＭＨｚをカバーし得、ミッドバンドは１４７５乃至２１７０ＭＨｚをカバーし得、そしてハイバンドは、２３００乃至２６９０ＭＨｚおよび３４００乃至３８００ＭＨｚをカバーし得る。ローバンド、ミッドバンド、およびハイバンドは３グループのバンド（またはバンドグループ(band groups)）を指し、各バンドグループは多数の周波数バンド（または簡潔に「バンド(bands)」）を含む。各バンドは、２００ＭＨｚまでカバーでき、１つ以上のキャリアを含み得る。各キャリアはＬＴＥにおいて２０ＭＨｚまでカバーできる。ＬＴＥリリース１１はＬＴＥ／ＵＭＴＳバンドと呼ばれ、３ＧＰＰＴＳ ３６．１０１にリストアップされた３５のバンドをサポートする。ワイヤレスデバイス１１０は、ＬＴＥリリース１１において１つまたは２つのバンド内の５つまでのキャリアによって構成され得る。
【００１０】
[0015]  一般に、キャリアアグリゲーション（ＣＡ）はイントラバンドＣＡおよびインターバンドＣＡの２種類にカテゴライズされ得る。イントラバンドＣＡは、同じバンド範囲内における複数のキャリア上の動作を指す。インターバンドＣＡは異なるバンドの複数のキャリア上の動作を指す。
【００１１】
[0016]  図２は、ワイヤレスデバイス１１０によってサポートされ得る様々なＣＡシナリオを示す。簡潔さのために、図２は、インターバンドＣＡのための各バンドにおけるワイヤレスデバイス１１０のために構成される１つのキャリアを示す。一般に、１つ以上のキャリアが１つの与えられたバンドにおけるワイヤレスデバイス１１０のために構成され得る。
【００１２】
[0017]  シナリオ２１０は、ワイヤレスデバイス１１０に割り当てられているミッドバンドのバンドＹにおける１つのキャリアＣ２と、ローバンドのバンドＸにおける１つのキャリアＣ１とでインターバンドＣＡをカバーする。シナリオ２２０は、ワイヤレスデバイス１１０に割り当てられているハイバンドのバンドＹにおける１つのキャリアＣ２と、ミッドバンドのバンドＸにおける１つのキャリアＣ１とでインターバンドＣＡをカバーする。シナリオ２３０は、ワイヤレスデバイス１１０に割り当てられているハイバンドのバンドＹにおける１つのキャリアＣ２と、ローバンドのバンドＸにおける１つのキャリアＣ１とでインターバンドＣＡをカバーする。
【００１３】
[0018]  シナリオ２４０は、ワイヤレスデバイス１１０に割り当てられているローバンドのバンドＹにおける１つのキャリアＣ２と、ローバンドのバンドＸにおける１つのキャリアＣ１とでインターバンドＣＡをカバーする。シナリオ２５０は、ワイヤレスデバイス１１０に割り当てられているミッドバンドのバンドＹにおける１つのキャリアＣ２と、ミッドバンドのバンドＸにおける１つのキャリアＣ１とでインターバンドＣＡをカバーする。シナリオ２６０は、ワイヤレスデバイス１１０に割り当てられているハイバンドのバンドＹにおける１つのキャリアＣ２と、ハイバンドのバンドＸにおける１つのキャリアＣ１とでインターバンドＣＡをカバーする。
【００１４】
[0019]  シナリオ２７０は、ワイヤレスデバイス１１０に割り当てられているハイバンド、またはミッドバンド、またはローバンドのバンドＸにおける２つの隣接したキャリアＣ１およびＣ２で連続的なイントラバンドＣＡをカバーする。シナリオ２８０は、ワイヤレスデバイス１１０に割り当てられているハイバンド、またはミッドバンド、またはローバンドのバンドＸにおける２つの隣接していないキャリアＣ１およびＣ２で非連続的なイントラバンドＣＡをカバーする。
【００１５】
[0020]  図２は、キャリアアグリゲーションのいくつかの例を示す。キャリアアグリゲーションはまた、バンドグループおよびバンドの他の組合せのためにサポートされ得る。
【００１６】
[0021]  インターバンドＣＡは、以下を含み得る４つのクラス／カテゴリにグループ分けされ得る。
【００１７】
クラスＡ−バンド間の調和的な関係（harmonic relation）および相互変調（ＩＭＤ：intermodulation）がないＬＢおよびＭＢ、またはＬＢおよびＨＢ、またはＭＢおよびＨＢのバンドの組合せ、
クラスＢ−バンド間の調和的な関係およびＩＭＤを有するＬＢおよびＭＢ、またはＬＢおよびＨＢ、またはＭＢおよびＨＢのバンドの組合せ、
クラスＣ−バンド間の調和的な関係およびＩＭＤがないＬＢおよびＬＢ、またはＭＢおよびＭＢ、またはＨＢおよびＨＢのバンドの組合せ、
クラスＤ−バンド間の調和的な関係およびＩＭＤを有するＬＢおよびＬＢ、またはＭＢおよびＭＢ、またはＨＢおよびＨＢのバンドの組合せ。
【００１８】
[0022]  ワイヤレスデバイス１１０は、上にリストアップされたインターバンドＣＡの４つのクラス／カテゴリの全てに対する要件を満たすように設計され得る。
【００１９】
[0023]  図３は、図１のワイヤレスデバイス１１０の例示的な設計のブロック図を示す。この例示的な設計では、ワイヤレスデバイス１１０がデータプロセッサ／制御装置３１０、プライマリアンテナ３９０に結合されたトランシーバ３２０、およびセカンダリアンテナ３９２に結合されたトランシーバ３２２を含む。トランシーバ３２０は、複数のバンド、キャリアアグリゲーション、複数の無線技術などをサポートするために、Ｋ個の送信機３３０pa乃至３３０pk、Ｌ個の受信機３４０pa乃至３４０pl、およびアンテナインフェース回路３５０を含む。ＫおよびＬは、各々１以上の任意の整数値であり得る。トランシーバ３２２は、複数のバンド、キャリアアグリゲーション、複数の無線技術、受信ダイバーシチ、多入力他出力（ＭＩＭＯ）送信などをサポートするために、Ｍ個の送信機３３０sa乃至３３０sm、Ｎ個の受信機３４０sa乃至３４０sn、およびアンテナインターフェース回路３５２を含む。ＭおよびＮは各々１以上の任意の整数値であり得る。
【００２０】
[0024]  図３に示される例示的な設計では、各送信機３３０が送信回路３３２および電力増幅器（ＰＡ）３３４を含む。データ送信のために、データプロセッサ３１０は送信されるデータを処理し（例えば、エンコードおよび変調し）、選択された送信機にアナログ出力信号を提供する。以下の説明は、送信機３３０paがこの選択された送信機であることを想定している。送信機３３０pa内では、送信回路３３２paがベースバンドからＲＦにアナログ出力信号を増幅し、フィルタし、およびアップコンバートし、変調されたＲＦ信号を提供する。送信回路３３２paは増幅器、フィルタ、ミキサ、整合回路、発振器、局部発振器（ＬＯ）ジェネレータ（local oscillator generator）、位相ロックループ（ＰＬＬ）などを含み得る。ＰＡ３３４paは変調されたＲＦを受信および増幅し、適切な出力電力レベルを有する出力ＲＦ信号を提供する。出力ＲＦ信号はアンテナインターフェース回路３５０を経由するように設定され、アンテナ３９０を介して送信される。アンテナインターフェース回路３５０は１つ以上のフィルタ、デュプレクサ、トリプレクサ、クアドプレクサ、ダイプレクサ、スイッチ、整合回路、方向性結合器などを含み得る。トランシーバ３２０および３２２における各残りの送信機３３０は送信機３３０paと同様に動作し得る。
【００２１】
[0025]  図３に示される例示的な設計では、各受信機３４０が低雑音増幅器（ＬＮＡ）３４２および受信回路３４４を含む。データ受信のために、アンテナ３９０は基地局および／または他の送信局から信号を受信し、受信されたＲＦ信号を提供するもので、このＲＦ信号はアンテナインターフェース回路３５０を経由するように設定され、選択された受信機に提供される。以下の説明は、受信機３４０paがこの選択された受信機であることを想定している。受信機３４０pa内で、ＬＮＡ３４２paは、受信されたＲＦ信号を増幅し、増幅されたＲＦ信号を提供する。受信回路３４４paは、増幅されたＲＦ信号をＲＦからベースバンドにダウンコンバートし、ダウンコンバートされた信号を増幅およびフィルタして、アナログ入力信号をデータプロセッサ３１０に提供する。受信回路３４４paは、ミキサ、フィルタ、増幅器、整合回路、発振器、ＬＯジェネレータ、ＰＬＬなどを含み得る。トランシーバ３２０および３２２における各残りの受信機３４０は受信機３４０paと同様に動作し得る。
【００２２】
[0026]  図３は、送信機３３０および受信機３４０の例示的な設計を示す。送信機および受信機はまた、フィルタ、整合回路などのような、図３に示されない他の回路を含み得る。トランシーバ３２０および３２２の一部または全ては、１つ以上のアナログ集積回路（ＩＣ）、ＲＦ ＩＣ（ＲＦＩＣ）、混合信号ＩＣなど上に実装され得る。例えば、送信回路３３２、ＬＮＡ３４２、および受信回路３４４は、ＲＦＩＣなどであり得る１つのモジュール上に実装され得る。アンテナインターフェース回路３５０および３５２およびＰＡ３３４は、ハイブリットモジュールなどであり得る他のモジュール上に実装され得る。トランシーバ３２０および３２２における回路は、他の方法で実装されることもできる。
【００２３】
[0027]  データプロセッサ／制御装置３１０は、ワイヤレスデバイス１１０のための様々な機能を行い得る。例えば、データプロセッサ３１０は、送信機３３０を介して送信されるデータおよび受信機３４０を介して受信されるデータのための処理を行い得る。制御装置３１０は、送信回路３３２、ＰＡ３３４、ＬＮＡ３４２、受信回路３４４、アンテナインターフェース回路３５０および３５２、またはこれらの組合せの動作を制御し得る。メモリ３１２は、データプロセッサ／制御装置３１０のためのデータおよびプログラムコードを記憶し得る。データプロセッサ／制御装置３１０は、１つ以上の特定用途向け集積回路（ＡＳＩＣ）および／または他のＩＣ上に実装され得る。
【００２４】
[0028]  アンテナインターフェース回路３５０および３５２は、キャリアアグリゲーションをサポートするために、様々な方法で実施され得る。アンテナインターフェース回路３５０および３５２のいくつかの例示的な設計が以下に記述される。一般に、アンテナインターフェース回路は、任意の数のデュプレクサ、トリプレクサ、クアドプレクサ、マルチプレクサ、ダイプレクサ、スイッチなどを含み得る。デュプレクサは、データ送信のための送信（ＴＸ）フィルタおよびデータ受信のための受信（ＲＸ）フィルタを備える回路モジュール／ブロックである。デュプレクサのＲＸフィルタおよびＴＸフィルタは、典型的に、特定のバンドのために設計される。トリプレクサは、データ送信および／または受信のための少なくとも３つのフィルタ（例えば、例えば、１つのＴＸフィルタおよび２つのＲＸフィルタ）を備える回路モジュール／ブロックである。クアドプレクサは、データ送信および／または受信のための少なくとも４つのフィルタ（例えば、２つのＴＸフィルタおよび２つのＲＸフィルタ）を備える回路モジュール／ブロックである。マルチプレクサは、少なくとも２つのフィルタを備える回路モジュール／ブロックである。マルチプレクサは、デュプレクサ、トリプレクサ、クアドプレクサなどであり得る。ダイプレクサは、典型的に、信号を２つのバンドグループに分離するために使用され得るローパスフィルタおよびハイパスフィルタを含む。
【００２５】
[0029]  本開示の一態様では、キャリアアグリゲーションが、各アンテナのために使用できるダイプレクサおよびクアドプレクサを備えるアンテナインターフェース回路によってサポートされ得る。このアーキテクチャは、イントラバンドＣＡおよびインターバンドＣＡのための異なるバンドの組合せを柔軟にサポートでき、さらに他の利点を提供し得る。
【００２６】
[0030]  本開示の他の態様では、キャリアアグリゲーションが、複数のアンテナを介する複数のバンド上の送信の「部分的な（partial）」多重化でサポートされ得る。部分的な多重化は、各アンテナを介する、複数のバンドのサブセットのみ上での送信を指す。例えば、２つのバンドＡおよびＢ上のキャリアアグリゲーションは、プライマリアンテナを介してバンドＡ上で送信すること、および、セカンダリアンテナを介してバンドＢ上で送信することによってサポートされ得る。部分的な多重化は、アンテナ間の隔離による恩恵をもたらすことができ、これはデータ送信および受信が複数のバンドにおいて同期して行われるときに複数の回路の非線形性のために生じるＩＭＤプロダクツ(products)および高調波（harmonics）の電力レベルを低減し得る。部分的な多重化はまた、より単純な回路をもたらすことができ、これはワイヤレスデバイスのコストおよびサイズを低減し得る。
【００２７】
[0031]  図４Ａは、２つのアンテナを介する２つのバンドＡおよびＢにおけるキャリアアグリゲーションをサポートする、アンテナインターフェース回路４２０ａおよび４２０ｂを備えるＲＦフロントエンドユニット４１０の例示的な設計を示す。アンテナインターフェース回路４２０ａおよび４２０ｂは、図３におけるアンテナインターフェース回路３５２および３５２のためにそれぞれ使用され得る。アンテナインターフェース回路４２０ａは、ダウンリンクでのデータ受信およびアップリンクでのデータ送信をプライマリアンテナ４９０を介してバンドＡおよびＢ上でサポートする。アンテナインターフェース回路４２０ｂは、ダウンリンクでのデータ受信およびアップリンクでのデータ送信をセカンダリアンテナ４９２を介してバンドＡおよびＢ上でサポートする。
【００２８】
[0032]  図４Ａに示される例示的な設計では、アンテナインターフェース回路４２０ａが、バンドＡおよびＢのためのクアドプレクサ４３０と、ダイプレクサ４５０と、スイッチ４５２とを含む。クアドプレクサ４３０は、バンドＡのためのＴＸフィルタ４３２、バンドＡのためのＲＸフィルタ４３４、バンドＢのためのＴＸフィルタ４３６、およびバンドＢのためのＲＸフィルタ４３８を含む。ＴＸフィルタ４３２および４３６の出力、およびＲＸフィルタ４３４および４３８の入力は、ダイプレクサ４５０においてバンドＡおよびＢのための第１のフィルタ（例えば、ハイパスフィルタ）に結合されるクアドプレクサ４３０の出力に結合される。ダイプレクサ４５０における第２のフィルタ（例えば、ローパスフィルタ）がマルチプレクサ、および／または他の回路（図４Ａに示されない）に結合され得る。ダイプレクサ４５０はスイッチ４５２の１つの入力にさらに結合される。スイッチ４５２は、他の無線技術、他のバンドなどのための回路に結合される他の入力を含み得る。スイッチ４５２の出力はプライマリアンテナ４９０に結合される。
【００２９】
[0033]  図４Ａに示される例示的な設計では、アンテナインターフェース回路４２０ｂが、バンドＡおよびＢのためのクアドプレクサ４６０と、ダイプレクサ４８０と、スイッチ４８２とを含む。クアドプレクサ４６０は、バンドＡのためのＴＸフィルタ４６２、バンドＡのためのＲＸフィルタ４６４、バンドＢのためのＴＸフィルタ４６６、およびバンドＢのためのＲＸフィルタ４６８を含む。ＴＸフィルタ４６２および４６６の出力、およびＲＸフィルタ４６４および４６８の入力は、ダイプレクサ４８０におけるバンドＡおよびＢのための第１のフィルタ（例えば、ハイパスフィルタ）に結合されるクアドプレクサ４６０の出力に結合される。ダイプレクサ４８０における第２のフィルタ（例えば、ローパスフィルタ）がマルチプレクサ、および／または他の回路（図４Ａに示されない）に結合され得る。ダイプレクサ４８０はスイッチ４８２の１つの入力にさらに結合される。スイッチ４８２は、他の無線技術、他のバンドなどのための回路に結合される他の入力を含み得る。スイッチ４８２の出力はセカンダリアンテナ４９２に結合される。
【００３０】
[0034]  図４Ａに示される例示的な設計では、クアドプレクサ４３０が、ダイプレクサ４５０およびスイッチ４５２を介してアンテナ４９０に結合される。他の例示的な設計では、クアドプレクサ４３０がダイプレクサ４５０を介してアンテナ４９０に結合され得、スイッチ４５２が省略され得る。さらに他の例示的な設計では、クアドプレクサ４３０がスイッチ４５２を介してアンテナ４９０に結合され得、ダイプレクサ４５０が省略され得る。さらに他の例示的な設計では、クアドプレクサ４３０がアンテナ４９０に直接結合され得る。一般に、クアドプレクサは１つ以上の回路を介してアンテナに間接的に結合されるか、アンテナに直接結合され得る。クアドプレクサ４６０は、クアドプレクサ４３０がプライマリアンテナ４９０に結合される（例えば、図４Ａに示されるように）のと同じ方式でセカンダリアンテナ４９２に結合され得る。代わって、クアドプレクサ４３０がある方式でプライマリアンテナ４９０に結合され得、クアドプレクサ４６０が異なる方式でセカンダリアンテナ４９２に結合され得る。
【００３１】
[0035]  例示的な設計では、クアドプレクサ（例えば、図４Ａにおけるクアドプレクサ４３０）が２つのバンドをサポートでき、（ｉ）第１のバンドＡのための第１のＴＸフィルタおよび第１のＲＸフィルタ、および、（ｉｉ）第２のバンドＢのための第２のＴＸフィルタおよび第２のＲＸフィルタを、例えば図４Ａに示されるように、含み得る。他の例示的な設計では、クアドプレクサが３つのバンドをサポートでき、（ｉ）３つのバンドのうちの１つのための第１のＴＸフィルタ、（ｉｉ）３つのバンドのうちの他の２つのための第２のＴＸフィルタ、（ｉｉｉ）３つのバンドのうちの１つのための第１のＲＸフィルタ、および、（ｉｖ）３つのバンドのうちの他の２つのための第２のＲＸフィルタを含み得る。例えば、クアドプレクサは、バンド１（Ｂ１）のための第１のＴＸフィルタ、バンド３（Ｂ３）およびバンド４（Ｂ４）のための第２のＴＸフィルタ、Ｂ１およびＢ４のための第１のＲＸフィルタ、および、Ｂ３のための第２のＲＸフィルタを含み得る。
【００３２】
[0036]  一般に、ＴＸフィルタは、これらバンドのＴＸ周波数範囲がオーバーラップする場合に、複数のバンドのために使用され得る。ＲＸフィルタは、これらバンドのＲＸ周波数範囲がオーバーラップする場合に、複数のバンドのために使用され得る。上の例では、Ｂ１、Ｂ３、およびＢ４のＴＸ周波数範囲およびＲＸ周波数範囲が、以下の通りであり得る。
【００３３】
Ｂ１：ＴＸ／ＵＬ＝１９２０−１９８０ＭＨｚ、ＲＸ／ＤＬ＝２１１０−２１７０ＭＨｚ、
Ｂ３：ＴＸ／ＵＬ＝１７１０−１７８５ＭＨｚ、ＲＸ／ＤＬ＝１８０５−１８８０ＭＨｚ、および、
Ｂ４：ＴＸ／ＵＬ＝１７１０−１７５５ＭＨｚ、ＲＸ／ＤＬ＝２１１０−２１５５ＭＨｚ。
【００３４】
[0037]  上に示されるように、同じＴＸフィルタが、Ｂ３およびＢ４のために使用され得る。同じＲＸフィルタが、Ｂ１およびＢ４のために使用され得る。
【００３５】
[0038]  図４Ｂは、２つのアンテナを介して３つのバンドＡ、ＢおよびＣ上でのキャリアアグリゲーションをサポートするアンテナインターフェース回路４２１ａおよび４２１ｂを備える、ＲＦフロントエンドユニット４１１の例示的な設計を示す。アンテナインターフェース回路４２１ａおよび４２１ｂは、図３における、アンテナインターフェース回路３５２および３５２のためにそれぞれ使用され得る。アンテナインターフェース回路４２１ａは、ダウンリンクでのデータ受信およびアップリンクでのデータ送信をプライマリアンテナ４９０を介してバンドＡ、ＢおよびＣ上でサポートする。アンテナインターフェース回路４２１ｂは、ダウンリンクでのデータ受信およびアップリンクでのデータ送信をセカンダリアンテナ４９２を介してバンドＡ、ＢおよびＣ上でサポートする。
【００３６】
[0039]  図４Ｂに示される例示的な設計では、アンテナインターフェース回路４２１ａが、バンドＡおよびＢのためのクアドプレクサ４３０、バンドＣのためのデュプレクサ４３１、ダイプレクサ４５０、およびスイッチ４５２を含む。クアドプレクサ４３０、ダイプレクサ４５０、およびスイッチ４５２は、図４Ａに対して上述されている。デュプレクサ４３１は、バンドＣのためのＴＸフィルタ４３３およびＲＸフィルタ４３５を含む。ＴＸフィルタ４３３の出力およびＲＸフィルタ４３５の入力は、ダイプレクサ４５０におけるバンドＣのための第２のフィルタ（例えば、ローパスフィルタ）に結合されるデュプレクサ４３１の出力に結合される。
【００３７】
[0040]  図４Ｂに示される例示的な設計では、アンテナインターフェース回路４２１ｂが、バンドＡおよびＢのためのクアドプレクサ４６０と、バンドＣのためのデュプレクサ４６１と、ダイプレクサ４８０と、スイッチ４８２とを含む。クアドプレクサ４６０、ダイプレクサ４８０、およびスイッチ４８２は、図４Ａに対して上述されている。デュプレクサ４６１は、バンドＣのためのＴＸフィルタ４６３およびＲＸフィルタ４６５を含む。ＴＸフィルタ４６３の出力およびＲＸフィルタ４６５の入力は、ダイプレクサ４８０におけるバンドＣのための第２のフィルタ（例えば、ローパスフィルタ）に結合されるデュプレクサ４６１の出力に結合される。
【００３８】
[0041]  図４Ｃは、２つのアンテナを介して４つのバンドＡ、Ｂ、ＣおよびＤ上でのキャリアアグリゲーションをサポートするアンテナインターフェース回路４２２ａおよび４２２ｂを備える、ＲＦフロントエンドユニット４１２の例示的な設計を示す。アンテナインターフェース回路４２２ａおよび４２２ｂは、図３におけるアンテナインターフェース回路３５２および３５２のためにそれぞれ使用され得る。アンテナインターフェース回路４２２ａは、プライマリアンテナ４９０を介して、ダウンリンクでのデータ受信をバンドＡ乃至Ｄ上でおよびアップリンクでのデータ送信をバンドＡ、Ｂ、およびＣ上でサポートする。アンテナインターフェース回路４２２ｂは、セカンダリアンテナ４９２を介して、ダウンリンクでのデータ受信をバンドＡ乃至Ｄで、およびアップリンクでのデータ送信をバンドＡ、Ｂ、およびＤ上でサポートする。
【００３９】
[0042]  図４Ｃに示される例示的な設計では、アンテナインターフェース回路４２２ａが、バンドＡおよびＢのためのクアドプレクサ４３０と、バンドＣおよびＤのためのトリプレクサ４４１と、ダイプレクサ４５０と、スイッチ４５２とを含む。クアドプレクサ４３０、ダイプレクサ４５０、およびスイッチ４５２は、図４Ａに対して上述されている。トリプレクサ４４１は、バンドＣのためのＴＸフィルタ４４３、バンドＣのためのＲＸフィルタ４４５、およびバンドＤのためのＲＸフィルタ４４７を含む。ＴＸフィルタ４４３の出力、およびＲＸフィルタ４４５および４４７の入力は、ダイプレクサ４５０におけるバンドＣおよびＤのための第２のフィルタ（例えば、ローパスフィルタ）に結合されるトリプレクサ４４１の出力に結合される。
【００４０】
[0043]  図４Ｃに示される例示的な設計では、アンテナインターフェース回路４２２ｂが、バンドＡおよびＢのためのクアドプレクサ４６０と、バンドＣおよびＤのためのトリプレクサ４７１と、ダイプレクサ４８０と、スイッチ４８２とを含む。クアドプレクサ４６０、ダイプレクサ４８０、およびスイッチ４８２は、図４Ａに対して上述されている。トリプレクサ４７１は、バンドＣのためのＲＸフィルタ４７７、バンドＤのためのＴＸフィルタ４７３、およびバンドＤのためのＲＸフィルタ４７５を含む。ＴＸフィルタ４７３の出力、およびＲＸフィルタ４７５および４７７の入力は、ダイプレクサ４８０におけるバンドＣおよびＤのための第２のフィルタ（例えば、ローパスフィルタ）に結合されるトリプレクサ４７１の出力に結合される。
【００４１】
[0044]  図４ＣにおけるバンドＡ乃至Ｄは複数のバンドの様々な組み合わせに対応し得る。第１の例示的な設計では、バンドＡ乃至Ｄが以下の通りであり得る。
【００４２】
バンドＡ＝バンド３（Ｂ３）、
バンドＢ＝バンド７（Ｂ７）、
バンドＣ＝バンド８（Ｂ８）、および、
バンドＤ＝バンド２０（Ｂ２０）。
【００４３】
[0045]  第１の例示的な設計では、バンド３および７がハイバンドにあり、バンド８および２０がローバンドにある。クアドプレクサ４３０はダイプレクサ４５０内のハイパスフィルタに結合され得、トリプレクサ４４１はダイプレクサ４５０内のローパスフィルタに結合され得る。同様に、クアドプレクサ４６０はダイプレクサ４８０内のハイパスフィルタに結合され得、トリプレクサ４７１はダイプレクサ４８０内のローパスフィルタに結合され得る。
【００４４】
[0046]  第２の例示的な設計では、バンドＡ乃至Ｄが以下の通りであり得る。
【００４５】
バンドＡ＝バンド２（Ｂ２）、
バンドＢ＝バンド４（Ｂ４）、
バンドＣ＝バンド５（Ｂ５）、および、
バンドＤ＝バンド１７（Ｂ１７）。
【００４６】
[0047]  第２の例示的な設計では、バンド２および４がハイバンドにあり、バンド５および１７がローバンドにある。クアドプレクサ４３０はダイプレクサ４５０内のハイパスフィルタに結合され得、トリプレクサ４４１はダイプレクサ４５０内のローパスフィルタに結合され得る。同様に、クアドプレクサ４６０はダイプレクサ４８０内のハイパスフィルタに結合され得、トリプレクサ４７１はダイプレクサ４８０内のローパスフィルタに結合され得る。図４ＣにおけるバンドＡ乃至Ｄは複数のバンドの他の組合せに対応し得る。
【００４７】
[0048]  図４Ｃに示される例示的な設計は、イントラバンドＣＡ、インターバンドＣＡ、およびＭＩＭＯの様々な事例をサポートできる。イントラバンドＣＡはバンドＡまたはＢ上でサポートされ得る。インターバンドＣＡに関しては、第１のアップリンク送信がプライマリアンテナを介してバンドＸにおいて第１のキャリアＣ１上で送信され得、第２のアップリンク送信がセカンダリアンテナを介してバンドＸにおいて第２のキャリアＣ２上で送信され得る。バンドＸはバンドＡまたはＢに対応し得る。
【００４８】
[0049]  インターバンドＣＡは、（Ａ、Ｂ）、（Ａ、Ｃ）、（Ａ、Ｄ）、および（Ｂ、Ｄ）のバンドの組合せに対してサポートされ得る。インターバンドＣＡに関しては、第１のアップリンク送信がプライマリアンテナを介してバンドＹにおいて第１のキャリアＣ１上で送信され得、第２のアップリンク送信がセカンダリアンテナを介してバンドＺにおいて第２のキャリアＣ２上で送信され得る。バンドＹおよびＺは、上にリストアップされたバンドのいずれの組合せにも対応し得る。イントラバンドＣＡおよびインターバンドＣＡに関しては、キャリアＣ１およびＣ２上でのダウンリンク送信がダイバーシチ受信を達成するためにプライマリおよびセカンダリアンテナの両方を介して受信され得る。
【００４９】
[0050]  ＭＩＭＯは、バンドＡまたはＢ上でサポートされ得る。ＭＩＭＯに関しては、第１のアップリンク送信がプライマリアンテナを介してバンドＸにおいてキャリアＣ１上で送信され得、第２のアップリンク送信がセカンダリアンテナを介してバンドＸにおいて同じキャリアＣ１で送信され得る。キャリアＣ１上でのダウンリンク送信はプライマリおよびセカンダリアンテナの両方を介して受信され得る。
【００５０】
[0051]  図４Ｄは、２つのアンテナを介して４つのバンドＡ、Ｂ、ＣおよびＤ上でのキャリアアグリゲーションをサポートするアンテナインターフェース回路４２３ａおよび４２３ｂを備える、ＲＦフロントエンドユニット４１３の例示的な設計を示す。アンテナインターフェース回路４２３ａおよび４２３ｂは、図３におけるアンテナインターフェース回路３５２および３５２のためにそれぞれ使用され得る。アンテナインターフェース回路４２３ａは、ダウンリンクでのデータ受信およびアップリンクでのデータ送信をプライマリアンテナ４９０を介してバンドＡ乃至Ｄ上でサポートする。アンテナインターフェース回路４２３ｂは、ダウンリンクでのデータ受信およびアップリンクでのデータ送信をセカンダリアンテナ４９２を介してバンドＡ乃至Ｄ上でサポートする。
【００５１】
[0052]  図４Ｄに示される例示的な設計では、アンテナインターフェース回路４２３ａが、バンドＡおよびＢのためのクアドプレクサ４３０と、バンドＣおよびＤのためのトリプレクサ４４９と、ダイプレクサ４５０と、スイッチ４５２とを含む。クアドプレクサ４３０、ダイプレクサ４５０、およびスイッチ４５２は、図４Ａに対して上述されている。トリプレクサ４４９は、バンドＣのためのＴＸフィルタ４５４、バンドＣおよびＤのためのＲＸフィルタ４５６、およびバンドＤのためのＴＸフィルタ４５８を含む。ＴＸフィルタ４５４および４５８の出力、およびＲＸフィルタ４５６の入力は、ダイプレクサ４５０におけるバンドＣおよびＤのための第２のフィルタ（例えば、ローパスフィルタ）に結合されるトリプレクサ４４９の出力に結合される。
【００５２】
[0053]  図４Ｄに示される例示的な設計では、アンテナインターフェース回路４２３ｂが、バンドＡおよびＢのためのクアドプレクサ４６０と、バンドＣおよびＤのためのトリプレクサ４７９と、ダイプレクサ４８０と、スイッチ４８２とを含む。クアドプレクサ４６０、ダイプレクサ４８０、およびスイッチ４８２は、図４Ａに対して上述されている。トリプレクサ４７９は、バンドＣのためのＴＸフィルタ４８４、バンドＣおよびＤのためのＲＸフィルタ４８６、およびバンドＤのためのＴＸフィルタ４８８を含む。ＴＸフィルタ４８４および４８８の出力、およびＲＸフィルタ４８６の入力は、ダイプレクサ４８０におけるバンドＣおよびＤのための第２のフィルタ（例えば、ローパスフィルタ）に結合されるトリプレクサ４７９の出力に結合される。
【００５３】
[0054]  図４ＤにおけるバンドＡ乃至Ｄは複数のバンドの様々な組合せに対応し得る。１つの例示的な設計では、バンドＡ、Ｂ、ＣおよびＤが以下の通りであり得る。
【００５４】
バンドＡ＝バンド５（Ｂ５）、
バンドＢ＝バンド８（Ｂ８）、
バンドＣ＝バンド１（Ｂ１）、および、
バンドＤ＝バンド４（Ｂ４）。
【００５５】
[0055]  上の例示的な設計では、バンド５および８がローバンドにあり、バンド１および４がハイバンドにある。クアドプレクサ４３０はダイプレクサ４５０内のローパスフィルタに結合され得、トリプレクサ４４９はダイプレクサ４５０内のハイパスフィルタに結合され得る。同様に、クアドプレクサ４６０はダイプレクサ４８０内のローパスフィルタに結合され得、トリプレクサ４７９はダイプレクサ４８０内のハイパスフィルタに結合され得る。図４ＤにおけるバンドＡ乃至Ｄは複数のバンドの他の組合せに対応し得る。
【００５６】
[0056]  図４Ｅは、２つのアンテナを介して４つのバンドＡ、Ｂ、ＣおよびＤ上でのキャリアアグリゲーションをサポートするアンテナインターフェース回路４２４ａおよび４２４ｂを備える、ＲＦフロントエンドユニット４１４の例示的な設計を示す。アンテナインターフェース回路４２４ａおよび４２４ｂは、図３におけるアンテナインターフェース回路３５２および３５２のためにそれぞれ使用され得る。アンテナインターフェース回路４２４ａは、ダウンリンクでのデータ受信およびアップリンクでのデータ送信をプライマリアンテナ４９０を介してバンドＡ乃至Ｄ上でサポートする。アンテナインターフェース回路４２４ｂは、ダウンリンクでのデータ受信およびアップリンクでのデータ送信をセカンダリアンテナ４９２を介してバンドＡ乃至Ｄ上でサポートする。
【００５７】
[0057]  図４Ｅに示される例示的な設計では、アンテナインターフェース回路４２４ａが、バンドＡおよびＢのためのクアドプレクサ４３０と、バンドＣおよびＤのためのトリプレクサ４４０と、ダイプレクサ４５０と、スイッチ４５２とを含む。クアドプレクサ４３０、ダイプレクサ４５０、およびスイッチ４５２は、図４Ａに対して上述されている。クアドプレクサ４４０は、バンドＣのためのＴＸフィルタ４４２、バンドＣのためのＲＸフィルタ４４４、バンドＤのためのＴＸフィルタ４４６、およびバンドＤのためのＲＸフィルタ４４８を含む。ＴＸフィルタ４４２および４４６の出力、およびＲＸフィルタ４４４および４４８の入力は、ダイプレクサ４５０におけるバンドＣおよびＤのための第２のフィルタ（例えば、ローパスフィルタ）に結合されるクアドプレクサ４４０の出力に結合される。
【００５８】
[0058]  図４Ｅに示される例示的な設計では、アンテナインターフェース回路４２４ｂが、バンドＡおよびＢのためのクアドプレクサ４６０と、バンドＣおよびＤのためのトリプレクサ４７０と、ダイプレクサ４８０と、スイッチ４８２とを含む。クアドプレクサ４６０、ダイプレクサ４８０、およびスイッチ４８２は、図４Ａに対して上述されている。クアドプレクサ４７０は、バンドＣのためのＴＸフィルタ４７２、バンドＣのためのＲＸフィルタ４７４、バンドＤのためのＴＸフィルタ４７６、およびバンドＤのためのＲＸフィルタ４７８を含む。ＴＸフィルタ４７２および４７６の出力、およびＲＸフィルタ４７４および４７８の入力は、ダイプレクサ４８０におけるバンドＣおよびＤのための第２のフィルタ（例えば、ローパスフィルタ）に結合されるクアドプレクサ４７０の出力に結合される。
【００５９】
[0059]  図４ＥにおけるバンドＡ乃至Ｄは複数のバンドの様々な組合せに対応し得る。第１の例示的な設計において、バンドＡ、Ｂ、Ｃ、およびＤはバンド３、７、８、および２０にそれぞれ対応し得る。第２の例示的な設計において、バンドＡ、Ｂ、Ｃ、およびＤはバンド２、４、５、および１５にそれぞれ対応し得る。図４ＥにおけるバンドＡ乃至Ｄは、複数のバンドの他の組合せに対応し得る。
【００６０】
[0060]  図４Ｅにおける例示的な設計は、イントラバンドＣＡ、インターバンドＣＡ、およびＭＩＭＯの様々な事例をサポートできる。イントラバンドＣＡはバンドＡ、Ｂ、ＣまたはＤ上でサポートされ得る。イントラバンドＣＡに関しては、第１のアップリンク送信がプライマリアンテナを介してバンドＸにおいて第１のキャリアＣ１上で送信され得、第２のアップリンク送信がセカンダリアンテナを介してバンドＸにおいて第２のキャリアＣ２上で送信され得る。バンドＸは、上述された第２の例示的な設計において、バンド２、４、５、または１７に対応し得る。
【００６１】
[0061]  インターバンドＣＡは、バンドＡ、Ｂ、ＣおよびＤの全ての組合せのためにサポートされ得る。ＬＢ−ＨＢの事例におけるインターバンドＣＡに関しては、第１のアップリンク送信がプライマリアンテナを介してローバンドにおけるバンドＹにおいて第１のキャリアＣ１上で送信され得、第２のアップリンク送信がセカンダリアンテナを介してハイバンドにおけるバンドＺにおいて第２のキャリアＣ２上で送信され得る。バンドＹはバンド５または１７に対応し得、バンドＺは上述された第２の例示的な設計において、バンド２または４に対応し得る。
【００６２】
[0062]  ＬＢ−ＬＢの事例におけるインターバンドＣＡに関しては、第１のアップリンク送信は、プライマリアンテナを介してローバンドにおけるバンドＹにおいて第１のキャリアＣ１で送信され得、第２のアップリンク送信は、セカンダリアンテナを介してローバンドにおけるバンドＺにおいて第２のキャリアＣ２で送信され得る。バンドＹおよびＺは、上述された第２の例示的な設計において、バンド５および１７に対応し得る。
【００６３】
[0063]  ＨＢ−ＨＢの事例におけるインターバンドＣＡに関しては、第１のアップリンク送信がプライマリアンテナを介してハイバンドにおけるバンドＹにおいて第１のキャリアＣ１上で送信され得、第２のアップリンク送信は、セカンダリアンテナを介してハイバンドにおけるバンドＺにおいて第２のキャリアＣ２上で送信され得る。バンドＹおよびＺは、上述された第２の例示的な設計において、バンド２および４に対応し得る。
【００６４】
[0064]  上述された全てのイントラバンドＣＡおよびインターバンドＣＡの事例に関しては、キャリアＣ１およびＣ２上でのダウンリンク送信がダイバーシチ受信を達成するためにプライマリおよびセカンダリアンテナの両方を介して受信され得る。
【００６５】
[0065]  ＭＩＭＯはバンドＡ、Ｂ、ＣまたはＤ上でサポートされ得る。ＭＩＭＯに関しては、第１のアップリンク送信がプライマリアンテナを介してバンドＸにおいてキャリアＣ１上で送信され得、第２のアップリンク送信がセカンダリアンテナを介してバンドＸにおいて同じキャリアＣ１上で送信され得る。バンドＸは、上述された第２の例示的な設計において、バンド２、４、５、または１７に対応し得る。キャリアＣ１上でのダウンリンク送信はプライマリおよびセカンダリアンテナの両方を介して受信され得る。
【００６６】
[0066]  図４Ｆは、２つのアンテナを介して６つのバンドＡ乃至Ｆにおけるキャリアアグリゲーションをサポートするアンテナインターフェース回路４２５ａおよび４２５ｂを備える、ＲＦフロントエンドユニット４１５の例示的な設計を示す。アンテナインターフェース回路４２５ａおよび４２５ｂは、図３における、それぞれアンテナインターフェース回路３５２および３５２のために、使用され得る。アンテナインターフェース回路４２５ａは、プライマリアンテナ４９０を介した、バンドＡ乃至Ｆにおける、ダウンリンクでのデータ受信およびアップリンクでのデータ送信をサポートする。アンテナインターフェース回路４２５ｂは、セカンダリアンテナ４９２を介した、バンドＡ乃至Ｆにおける、ダウンリンクでのデータ受信およびアップリンクでのデータ送信をサポートする。
【００６７】
[0067]  図４Ｆに示される例示的な設計では、アンテナインターフェース回路４２５ａが、バンドＡおよびＢのためのクアドプレクサ４３０と、バンドＣおよびＤのためのクアドプレクサ４４０と、バンドＥおよびＦのためのトリプレクサ４４９と、ダイプレクサ４５０と、スイッチ４５２とを含む。クアドプレクサ４３０および４４０、ダイプレクサ４５０、およびスイッチ４５２は、図４Ｅに対して上述されている。トリプレクサ４４９は、バンドＥのためのＴＸフィルタ４５４、バンドＥおよびＦのためのＲＸフィルタ４５６、およびバンドＦのためのＴＸフィルタ４５８を含む。ＴＸフィルタ４５４および４５８の出力、およびＲＸフィルタ４５６の入力は、スイッチ４５２の他の入力に結合されるトリプレクサ４４９の出力に結合される。
【００６８】
[0068]  図４Ｆに示される例示的な設計では、アンテナインターフェース回路４２５ｂが、バンドＡおよびＢのためのクアドプレクサ４６０と、バンドＣおよびＤのためのクアドプレクサ４７０と、バンドＥおよびＦのためのトリプレクサ４７９と、ダイプレクサ４８０と、スイッチ４８２とを含む。クアドプレクサ４６０および４７０、ダイプレクサ４８０、およびスイッチ４８２は、図４Ｅに対して上述されている。トリプレクサ４７９は、バンドＥのためのＴＸフィルタ４８４、バンドＥおよびＦのためのＲＸフィルタ４８６、およびバンドＦのためのＴＸフィルタ４８８を含む。ＴＸフィルタ４８４および４８８の出力、およびＲＸフィルタ４８６の入力は、スイッチ４８２の他の入力に結合されるトリプレクサ４７９の出力に結合される。
【００６９】
[0069]  図４Ｇは、２つのアンテナを介して６つのバンドＡ乃至Ｆ上でのキャリアアグリゲーションをサポートするアンテナインターフェース回路４２６ａおよび４２６ｂを備える、ＲＦフロントエンドユニット４１６の例示的な設計を示す。アンテナインターフェース回路４２６ａおよび４２６ｂは、図３におけるアンテナインターフェース回路３５２および３５２のためにそれぞれ使用され得る。アンテナインターフェース回路４２６ａは、ダウンリンクでのデータ受信およびアップリンクでのデータ送信をプライマリアンテナ４９０を介してバンドＡ乃至Ｆ上でサポートする。アンテナインターフェース回路４２６ｂは、ダウンリンクでのデータ受信およびアップリンクでのデータ送信をセカンダリアンテナ４９２を介してバンドＡ乃至Ｆ上でサポートする。
【００７０】
[0070]  図４Ｇに示される例示的な設計では、アンテナインターフェース回路４２６ａが、バンドＡおよびＢのためのクアドプレクサ４３０と、バンドＣおよびＤのためのクアドプレクサ４４０と、バンドＥおよびＦのためのトリプレクサ４５１と、ダイプレクサ４５０、およびスイッチ４５２とを含む。クアドプレクサ４３０および４４０、ダイプレクサ４５０、およびスイッチ４５２は、図４Ｅに対して上述されている。トリプレクサ４５１は、バンドＥのためのＴＸフィルタ４５３、バンドＥのためのＲＸフィルタ４５５、バンドＦのためのＴＸフィルタ４５７、およびバンドＦのためのＲＸフィルタ４５９を含む。ＴＸフィルタ４５３および４５７の出力、およびＲＸフィルタ４５５および４５９の入力は、スイッチ４５２の他の入力に結合されるクアドプレクサ４５１の出力に結合される。
【００７１】
[0071]  図４Ｇに示される例示的な設計では、アンテナインターフェース回路４２６ｂが、バンドＡおよびＢのためのクアドプレクサ４６０と、バンドＣおよびＤのためのクアドプレクサ４７０と、バンドＥおよびＦのためのクアドレクサ４８１と、ダイプレクサ４８０と、スイッチ４８２とを含む。クアドプレクサ４６０および４７０、ダイプレクサ４８０、およびスイッチ４８２は、図４Ｅに対して上述されている。トリプレクサ４８１は、バンドＥのためのＴＸフィルタ４８３、バンドＥのためのＲＸフィルタ４８５、バンドＦのためのＴＸフィルタ４８７、およびバンドＦのためのＲＸフィルタ４８９を含む。ＴＸフィルタ４８３および４８７の出力、およびＲＸフィルタ４８５および４８９の入力は、スイッチ４８２の他の入力に結合されるクアドプレクサ４８１の出力に結合される。
【００７２】
[0072]  図４Ｆおよび４ＧにおけるバンドＡ乃至Ｆは複数のバンドの様々な組合せに対応し得る。１つの例示的な設計では、バンドＡ乃至Ｆが以下の通りである。
【００７３】
バンドＡ＝バンド１（Ｂ１）、
バンドＢ＝バンド３（Ｂ３）、
バンドＣ＝バンド１３（Ｂ１３）、
バンドＤ＝バンド２０（Ｂ２０）。
【００７４】
バンドＥ＝バンド７（Ｂ７）、および、
バンドＦ＝バンド９（Ｂ９）。
【００７５】
[0073]  上の例示的な設計では、バンド１および３がハイバンドにあり、バンド１３および２０がローバンドにあり、そしてバンド７および９がハイバンドにある。バンドＡ乃至Ｆは複数のバンドの他の組合せに対応し得る。
【００７６】
[0074]  図５は、２つのアンテナを介して４つのバンドＡ乃至Ｄ上でのキャリアアグリゲーションをサポートするアンテナインターフェース回路５２０ａおよび５２０ｂを備える、ＲＦフロントエンドユニット５１０の例示的な設計を示す。アンテナインターフェース回路５２０ａおよび５２０ｂは、図３におけるアンテナインターフェース回路３５２および３５２のためにそれぞれ使用され得る。アンテナインターフェース回路５２０ａは、ダウンリンクでのデータ受信およびアップリンクでのデータ送信をプライマリアンテナ５９０を介してバンドＡ乃至Ｄ上でサポートする。アンテナインターフェース回路５２０ｂは、ダウンリンクでのデータ受信およびアップリンクでのデータ送信をセカンダリアンテナ５９２を介してバンドＡ乃至Ｄ上でサポートする。
【００７７】
[0075]  図５に示される例示的な設計では、アンテナインターフェース回路５２０ａが、バンドＡおよびＢのためのクアドプレクサ５３０と、バンドＣおよびＤのためのクアドプレクサ５４０と、スイッチ５５２および５５４と、ダイプレクサ５５６とを含む。クアドプレクサ５３０は、バンドＡのためのＴＸフィルタ５３２、バンドＡのためのＲＸフィルタ５３４、バンドＢのためのＴＸフィルタ５３６、およびバンドＢのためのＲＸフィルタ５３８を含む。ＴＸフィルタ５３２および５３６の出力、およびＲＸフィルタ５３４および５３８の入力は、スイッチ５５２の第１の入力にさらに結合されるクアドプレクサ５３０の出力に結合される。クアドプレクサ５４０は、バンドＣのためのＴＸフィルタ５４２、バンドＣのためのＲＸフィルタ５４４、バンドＤのためのＴＸフィルタ５４６、およびバンドＤのためのＲＸフィルタ５４８を含む。ＴＸフィルタ５４２および５４６の出力、およびＲＸフィルタ５４４および５４８の入力は、スイッチ５５４の第１の入力にさらに結合されるクアドプレクサ５４０の出力に結合される。スイッチ５５２および５５４は、他の無線技術、他のバンドなどのための回路に結合された他の入力を含み得る。スイッチ５５２の出力は、ダイプレクサ５５６においてバンドＡおよびＢのための第1のフィルタ（例えば、ハイパスフィルタ）に結合される。スイッチ５５４の出力は、ダイプレクサ５５６においてバンドＣおよびＤのための第２のフィルタ（例えば、ローパスフィルタ）に結合される。ダイプレクサ５５６の出力はプライマリアンテナ５９０に結合される。
【００７８】
[0076]  図５に示される例示的な設計では、アンテナインターフェース回路５２０ｂが、バンドＡおよびＢのためのクアドプレクサ５６０と、バンドＣおよびＤのためのクアドプレクサ５７０と、スイッチ５８２および５８４と、ダイプレクサ５８６とを含む。クアドプレクサ５６０は、バンドＡのためのＴＸフィルタ５６２、バンドＡのためのＲＸフィルタ５６４、バンドＢのためのＴＸフィルタ５６６、およびバンドＢのためのＲＸフィルタ５６８を含む。ＴＸフィルタ５６２および５６６の出力、およびＲＸフィルタ５６４および５６８の入力は、スイッチ５８２の第１の入力にさらに結合されるクアドプレクサ５６０の出力に結合される。クアドプレクサ５７０は、バンドＣのためのＴＸフィルタ５７２、バンドＣのためのＲＸフィルタ５７４、バンドＤのためのＴＸフィルタ５７６、およびバンドＤのためのＲＸフィルタ５７８を含む。ＴＸフィルタ５７２および５７６の出力、およびＲＸフィルタ５７４および５７８の入力は、スイッチ５８４の第１の入力にさらに結合されるクアドプレクサ５７０の出力に結合される。スイッチ５８２および５８４は、他の無線技術、他のバンドなどのための回路に結合された他の入力を含み得る。スイッチ５８２の出力は、ダイプレクサ５８６においてバンドＡおよびＢのための第１のフィルタ（例えば、ハイパスフィルタ）に結合される。スイッチ５８４の出力は、ダイプレクサ５８６においてバンドＣおよびＤのための第２のフィルタ（例えば、ローパスフィルタ）に結合される。ダイプレクサ５８６の出力は、プライマリアンテナ５９２に結合される。
【００７９】
[0077]  図５における例示的な設計は、１つ以上のマルチプレクサ（例えば、デュプレクサ、トリプレクサ、および／または、クアドプレクサ）を、スイッチ５５２、５５４、５８２および／または５８４の他の入力に結合することによって、追加のバンドを容易にサポートできる。
【００８０】
[0078]  アンテナインターフェース回路は、例えば図４Ａ乃至５に示されるように、１つ以上のクアドプレクサを含み得る。クアドプレクサは、例えば図４Ａ乃至５に示されるように、２つのバンドのための２つのＲＸフィルタおよび２つのＴＸフィルタを含み得る。この事例では、各ＴＸフィルタが１つのバンドをカバーで、各ＲＸフィルタもまた１つのバンドをカバーできる。クアドプレクサは、上述されたように、３つのバンドのための２つのＲＸフィルタおよび２つのＴＸフィルタを含み得る。この事例では、１つのＴＸフィルタが１つのバンドをカバーでき、他のＴＸフィルタが２つのバンドをカバーでき、１つのＲＸフィルタが１つのバンドをカバーでき、そして他のＲＸフィルタが２つのバンドをカバーできる。
【００８１】
[0079]  クアドプレクサは、同じバンドグループにあり得る２つのバンドのための２つのデュプレクサを含み得、このため周波数において互いに比較的近接し得る。例えば、クアドプレクサは、(ｉ）１８５０乃至１９１０ＭＨｚの送信／アップリンク周波数範囲および１９３０乃至１９９０ＭＨｚの受信／ダウンリンク周波数範囲を有するバンド２のための第１のデュプレクサと、（ｉｉ）１７１０乃至１７５５ＭＨｚの送信／アップリンク周波数範囲および２１１０乃至２１５５ＭＨｚの受信／ダウンリンク周波数範囲を有するバンド４のための第２のデュプレクサとを含み得る。２つのバンド間の近接した周波数分離によって、従来行われているように、２つのデュプレクサを１つのダイプレクサと組み合わせることは、実際的ではない。
【００８２】
[0080]  図６は、１つのバンドグループにおける２つのバンドのためのクアドプレクサ６３０の１つの例示的な設計を示す。クアドプレクサ６３０は、第１のバンドＡのための第１のデュプレクサ６３１、第２のバンドＢのための第２のデュプレクサ６３５、および整合回路６３７を含む。デュプレクサ６３１は、バンドＡのためのＴＸフィルタ６３２およびＲＸフィルタ６３４を含む。ＴＸフィルタ６３２の出力およびＲＸフィルタ６３４の入力は、デュプレクサ６３１の出力に結合される。デュプレクサ６３５は、バンドＢのためのＴＸフィルタ６３６およびＲＸフィルタ６３８を含む。ＴＸフィルタ６３６の出力およびＲＸフィルタ６３８の入力は、デュプレクサ６３５の出力に結合される。整合回路６３７は、デュプレクサ６３１の出力およびデュプレクサ６３５の出力との間で結合される。整合回路６３７は、良好な性能を獲得するために、デュプレクサ６３１および６３５の出力間の電力および／またはインピーダンス整合を行い得る。
【００８３】
[0081]  本書に開示されるアンテナインターフェース回路は、様々な有利な特徴を含む。第１に、（例えば図４Ａに示されるように、）１つのクアドプレクサおよび１つのダイプレクサ、または、（図４Ｅに示されるように、）２つのクアドプレクサおよび１つのダイプレクサを備えるアンテナインターフェース回路は、各アンテナのために使用され得、インターバンドＣＡ、イントラバンドＣＡ、およびＭＩＭＯを容易にサポートし得る。例えば、図４Ｅにおけるアンテナインターフェース回路４２４ａおよび４２４ｂは、（ｉ）インターバンドＣＡのためのバンドＡ乃至Ｄの全ての組合せと、（ｉｉ）２つの送信チェーンからの、または、同じ送信チェーンからの、イントラバンドＣＡと、（ｉｉｉ）４つ全てのバンドＡ乃至ＤのためのＭＩＭＯ送信と、をサポートし得る。
【００８４】
[0082]  第２に、同じクアドプレクサは、異なる複数のアンテナのために使用され得、それは、ワイヤレスデバイスの製造を容易にし得る。特に、バンドＡおよびＢのための同じクアドプレクサは、図４Ａ乃至５における、プライマリアンテナのために、および、さらにセカンダリアンテナのために、使用され得る。バンドＣおよびＤのための同じクアドプレクサは、図４Ｅ乃至５における、プライマリアンテナのために、および、さらにセカンダリアンテナのために、使用され得る。かくして、セカンダリアンテナのためのクアドプレクサは、プライマリアンテナのためのクアドプレクサの複製であり得る。
【００８５】
[0083]  第３に、部分的な多重化による、２つのアンテナを介した、ＣＡのための２つのバンド上での同期した送信は、アンテナ間の隔離による恩恵を受け得、これは１つの例示的な設計に関して約１５デシベル（ｄＢ）であり得る。例えば、第１のアップリンク送信／出力ＲＦ信号がプライマリアンテナを介してバンドＡ上で送信され得、第２のアップリンク送信／出力ＲＦ信号がセカンダリアンテナを介してバンドＢ上で送信され得る。アンテナ間の隔離は、特に２つのバンド間に調和的な関係がある場合に、ＩＭＤを軽減し得る。アンテナ間の隔離はまた、追加のフィルタが高調波および他の不要な信号を減衰する必要性を回避し得る。これに対して、同じアンテナを介して２つのバンドにおいて２つのアップリンク送信を同期して送ることは、十分に低い高調波およびＩＭＤプロダクトを達成するために、余分な設計努力を必要とし得る。
【００８６】
[0084]  第４に、出力ＲＦ信号は、良好な性能を提供するために選択された複数のアンテナを介して送信され得る。複製のクアドプレクサは、例えば図４Ａ乃至５に示されるように、２つのアンテナのために使用され得る。この事例では、第１の出力ＲＦ信号がプライマリアンテナを介してバンドＡ上で送信され得、第２の出力ＲＦ信号がセカンダリアンテナを介してバンドＢ上で送信され得る。あるいは、第１の出力ＲＦ信号は、セカンダリアンテナを介してバンドＡ上で送信され得、第２の出力ＲＦ信号は、プライマリアンテナを介してバンドＢ上で送信され得る。第１および第２の出力ＲＦ信号は、良好な性能を獲得するために、（例えば、受信基地局からの命令またはインジケーションに基づいて、）プライマリおよびセカンダリアンテナ間で切り替えられ得る。
【００８７】
[0085]  第５に、いくつかの回路コンポーネントは、イントラバンドＣＡ、インターバンドＣＡ、およびＭＩＭＯをサポートするために必要とされ得る。４つ以上のフィルタが、各クアドプレクサに含まれ得る。こうして、複数のクアドプレクサでアンテナインターフェース回路を実現することは、コンポーネントカウントを低減し得る。
【００８８】
[0086]  １つの例示的な設計では、装置（例えば、ワイヤレスデバイス、ＩＣ、回路モジュールなど）が第１および第２のアンテナインターフェース回路を備え得る。第１のアンテナインターフェース回路（例えば、図４Ａにおけるアンテナインターフェース回路４２０ａ）は、第１のアンテナに結合され得、第１および第２のバンドのための第１のクアドプレクサ（例えば、クアドプレクサ４３０）を備え得る。第２のアンテナインターフェース回路（例えば、図４Ａにおけるアンテナインターフェース回路４２０ｂ）は、第２のアンテナに結合され得、第１および第２のバンドのための第２のクアドプレクサ（例えば、クアドプレクサ４６０）を備え得る。
【００８９】
[0087]  １つの例示的な設計では、第１のアンテナインターフェース回路が第１のダイプレクサ（例えば、図４Ａにおけるダイプレクサ４５０）をさらに備え得る。第２のアンテナインターフェース回路は、第３のバンドのための第２のダイプレクサ（例えば、ダイプレクサ４８０）をさらに備え得る。
【００９０】
[0088]  １つの例示的な設計では、第１のアンテナインターフェース回路が第３のバンドのための第１のデュプレクサ（例えば、図４Ｂにおけるデュプレクサ４３１）をさらに備え得る。第２のアンテナインターフェース回路は、第２のデュプレクサ（例えば、デュプレクサ４６１）をさらに備え得る。
【００９１】
[0089]  他の例示的な設計では、第１のアンテナインターフェース回路が第３および第４のバンドのための、第１のトリプレクサ（例えば、図４Ｃにおけるトリプレクサ４４１、または図４Ｄにおけるトリプレクサ４４９）をさらに備え得る。第２のアンテナインターフェース回路は、第３および第４のバンドのための、第２のトリプレクサ（例えば、図４Ｃにおけるトリプレクサ４７１または図４Ｄにおけるトリプレクサ４７９）をさらに備え得る。図４Ｃに示される１つの例示的な設計では、第１のトリプレクサが第３のバンドのためのＴＸフィルタ（例えば、ＴＸフィルタ４４３）、第３のバンドのためのＲＸフィルタ（例えば、ＲＸフィルタ４４５）、および、第４のバンドのためのＲＸフィルタ（例えば、ＲＸフィルタ４４７）を備え得る。第２のトリプレクサは、第４のバンドのためのＴＸフィルタ（例えば、ＴＸフィルタ４７３）、第３のバンドのためのＲＸフィルタ（例えば、ＲＸフィルタ４７７）、および、第４のバンドのためのＲＸフィルタ（例えば、ＲＸフィルタ４７５）を備え得る。図４Ｄに示される他の例示的な設計では、第１のトリプレクサが第３のバンドのためのＴＸフィルタ（例えば、ＴＸフィルタ４５４）、第４のバンドのためのＴＸフィルタ（例えば、ＴＸフィルタ４５８）、および、第３および第４のバンドのためのＲＸフィルタ（例えば、ＲＸフィルタ４５６）を備え得る。第２のトリプレクサは、第３のバンドのためのＴＸフィルタ（例えば、ＴＸフィルタ４８４）、第４のバンドのためのＴＸフィルタ（例えば、ＴＸフィルタ４８８）、および、第３および第４のバンドのためのＲＸフィルタ（例えば、ＲＸフィルタ４８６）を備え得る。
【００９２】
[0090]  他の例示的な設計では、第１のアンテナインターフェース回路が第３および第４のバンドのための第３のクアドプレクサ（例えば、図４Ｅにおけるクアドプレクサ４４０）をさらに備え得る。第２のアンテナインターフェース回路は、第３および第４のバンドのための第４のクアドプレクサ（例えば、クアドプレクサ４７０）をさらに備え得る。第１および第２のクアドプレクサは、第１のバンドグループ（例えば、ローバンド）に関わり得る。第３および第４のクアドプレクサは、第２のバンドグループ（例えば、ハイバンド）に関わり得る。１つの例示的な設計では、第１のアンテナインターフェース回路が、第５および第６のバンドのための第５のクアドプレクサ（例えば、図４Ｇにおけるクアドプレクサ４５１）をさらに備え得る。第２のアンテナインターフェース回路は、第５および第６のバンドのための第６のクアドプレクサ（例えば、クアドプレクサ４８１）をさらに備え得る。１つの例示的な設計では、第１のクアドプレクサが、第２のクアドプレクサの複製であり得る。第３のクアドプレクサは、第４のクアドプレクサの複製であり得る。第５のクアドプレクサは、第６のクアドプレクサの複製であり得る。
【００９３】
[0091]  １つの例示的な設計では、第１のクアドプレクサが、第１および第２のデュプレクサと整合回路を備え得る。第１のデュプレクサ（例えば、図６におけるデュプレクサ６３１）は、第１のバンドのための第１のＲＸフィルタおよび第１のＴＸフィルタを備え得る。第２のデュプレクサ（例えば、デュプレクサ６３５）は、第２のバンドのための第２のＲＸフィルタおよび第２のＴＸフィルタを備え得る。整合回路（例えば、整合回路６３７）は、第１および第２のデュプレクサ間で結合され得る。残りのクアドプレクサの各々は、同様の方法で実施され得る。
【００９４】
[0092]  １つの例示的な設計では、第１のダイプレクサが、（ｉ）第１のクアドプレクサに結合される第１のフィルタ（例えば、ハイパスフィルタ）と、（ｉｉ）デュプレクサ、またはトリプレクサ、または他のクアドプレクサに結合される第２のフィルタ（例えば、ローパスフィルタ）を備え得る。第２のダイプレクサは、ローパスフィルタおよびハイパスフィルタを同様に備え得る。
【００９５】
[0093]  １つの例示的な設計では、第１のアンテナインターフェース回路が、第１のダイプレクサおよび第１のアンテナ間に結合される第１のスイッチ（例えば、図４Ａにおけるスイッチ４５２）をさらに備え得る。第２のアンテナインターフェース回路は、第２のダイプレクサおよび第２のアンテナ間に結合される第２のスイッチ（例えば、図４Ａにおけるスイッチ４８２）をさらに備え得る。他の例示的な設計では、第１のアンテナインターフェース回路が、第１のクアドプレクサおよび第１のダイプレクサ間に結合される第１のスイッチ（例えば、図５におけるスイッチ５５２）をさらに備え得る。第２のアンテナインターフェース回路は、第２のクアドプレクサおよび第２のアダイプレクサ間に結合される第２のスイッチ（例えば、図５におけるスイッチ５８２）をさらに備え得る。これらスイッチは、他のバンドおよび／または無線技術をサポートするために使用され得る。
【００９６】
[0094]  １つの例示的な設計では、部分的な多重化が、キャリアアグリゲーションのために使用され得る。第１のアンテナインターフェース回路は、（例えば、第１のバンドにおける）第１のキャリアにおいて第１のアンテナに送信される第１のＲＦ信号の経路を設定し得る。第２のアンテナインターフェース回路は、（例えば第２のバンドにおける）第２のキャリアにおいて第２のアンテナに送信される第２のＲＦ信号の経路を設定し得る。第１および第２のＲＦ信号は、アンテナ間で切り替えられ得る。例えば、第１のアンテナインターフェース回路は、切替え制御に応答して、第１のアンテナへの第２のＲＦ信号の経路を設定し得る。第２のアンテナインターフェース回路は、切替え制御に応答して、第２のアンテナへの第１のＲＦ信号の経路を設定し得る。
【００９７】
[0095]  図７は、通信をサポートするためのプロセス７００の例示的な設計を示す。第１のＲＦ信号は、第１のアンテナを介する送信のために、第１のアンテナインターフェース回路を通る経路を設定され得る（ブロック７１２）。第１のアンテナインターフェース回路は、第１および第２のバンドのための第１のクアドプレクサを備え得る。第２のＲＦ信号は、第２のアンテナを介する送信のために、第２のアンテナインターフェース回路を通る経路を設定され得る（ブロック７１４）。第２のアンテナインターフェース回路は、第１および第２のバンドのための第２のクアドプレクサを備え得る。第１のアンテナインターフェース回路は、第１のダイプレクサおよび／または他の回路をさらに備え得る。第２のアンテナインターフェース回路は、第２のダイプレクサおよび／または他の回路をさらに備え得る。
【００９８】
[0096]  第３のＲＦ信号は、第１のアンテナインターフェース回路を介して第１のアンテナから受信され得る（ブロック７１６）。第４のＲＦ信号は、第２のアンテナインターフェース回路を介して第２のアンテナから受信され得る（ブロック７１８）。第１および第３のＲＦ信号は、第１のキャリアにおける通信に関わり得る。第２および第４のＲＦ信号は、キャリアアグリゲーションのために、第２のキャリアにおける通信に関わり得る。第５のＲＦ信号は、第１のアンテナインターフェース回路を介して第１のアンテナから受信され得る。第６のＲＦ信号は、第２のアンテナインターフェース回路を介して第２のアンテナから受信され得る。第３および第６のＲＦ信号は、第１のキャリアにおけるダイバーシチ受信に関わり得る。第４および第５のＲＦ信号は、第２のキャリアにおけるダイバーシチ受信に関わり得る。
【００９９】
[0097]  本書に記述されるアンテナインターフェース回路は、ＩＣ、アナログＩＣ、ＲＦＩＣ、混合信号ＩＣ、特定用途向け集積回路（ＡＳＩＣ）、プリント基板（ＰＣＢ）、電子デバイスなどにおいて実施され得る。アンテナインターフェース回路はまた、相補型金属酸化膜半導体（ＣＭＯＳ）、Ｎ形金属酸化膜半導体（ＮＭＯＳ）、Ｐ形金属酸化膜半導体（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）などのような、様々なＩＣ処理技術によって、製造され得る。
【０１００】
[0098]  本書に記述されたアンテナインターフェース回路を実施する装置は、独立型デバイスであり得、または、より大きなデバイスの一部であり得る。デバイスは、（ｉ）独立型ＩＣ、（ｉｉ）データおよび／または命令群を記憶するためのメモリＩＣを含み得る１つ以上のＩＣのセット、（ｉｉｉ）ＲＦ受信機（ＲＦＲ）またはＲＦ送信機／受信機（ＲＴＲ）のようなＲＦＩＣ、（ｉｖ）移動局モデム（ＭＳＭ）のようなＡＳＩＣ、（ｖ）他のデバイス内に組み込まれ得るモジュール、（ｖｉ）受信機、セルラー電話、ワイヤレスデバイス、ハンドセット、または携帯電話装置、（ｖｉｉ）その他、であり得る。
【０１０１】
[0099]  １つ以上の例示的な設計では、本書に記述された機能が、ハードウェア、ソフトウェア、ファームウェア、またはその他任意の組合せにおいて実施され得る。ソフトウェアにおいて実施される場合、機能は、コンピュータ可読媒体において１つ以上の命令またはコードとして、記憶され得るか、送信され得る。コンピュータ可読媒体は、１つの場所から他の場所へのコンピュータプログラムの送信を容易にする任意の媒体を含む、通信媒体およびコンピュータ記憶媒体の両方を含む。記憶媒体は、コンピュータによってアクセスされることができる任意の使用可能な媒体であり得る。限定ではなく例の目的で、このようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスされることができるその他任意の媒体を備えることができる。また、任意の接続が、コンピュータ可読媒体と適切に称される。例えば、ソフトウェアは、ウェブサイト、サーバ、または同軸ケーブル、光ファイバーケーブル、ツイストペア、デジタル加入者回線（ＤＳＬ）、または、赤外線の、無線の、およびマイクロ波のようなワイヤレス技術を使用して他の遠隔ソースから送信され、そして、同軸ケーブル、光ファイバーケーブル、ツイストペア、ＤＳＬ、赤外線の、無線の、およびマイクロ波のようなワイヤレス技術は、媒体の定義に含まれる。本書で使用されるようなディスク（disk）およびディスク（disc）は、コンパクトディスク（ＣＤ)、レーザーディスク（登録商標）、光ディスク、デジタル多用途ディスク（ＤＶＤ)、フロッピー（登録商標）ディスク、およびブルーレイディスク（登録商標）を含み、ディスク（disk）は通例磁気的にデータを再生し、これに対してディスク（disc）は、レーザを用いて光学的にデータを再生する。上の組合せもまた、コンピュータ可読媒体の範囲内に含まれるべきである。
【０１０２】
［0100］  本開示の前述の説明は、当業者の誰もが本開示を使用および生成することを可能にするために提供される。本開示に対する様々な変更は、当業者には容易に理解されるものであり、本書に定義される一般的な原則は、本開示の範囲を逸脱することなく、他の変形例にも適用され得る。かくして、本開示は本書に記述される設計および例に限定されることを意図されず、本書に開示される新規の特徴および原則に一致する最も広い範囲が与えられるべきである。
以下に本願の出願当初の特許請求の範囲に記載された発明を付記する。
[Ｃ１]
第１のアンテナに結合され、第１および第２のバンドのための第１のクアドプレクサを備える第１のアンテナインターフェース回路と、
第２のアンテナに結合され、前記第１および第２のバンドのための第２のクアドプレクサを備える第２のアンテナインターフェース回路と、を備える装置。
[Ｃ２]
前記第１のアンテナインターフェース回路は、第１のダイプレクサをさらに備え、前記第２のアンテナインターフェース回路は、第２のダイプレクサをさらに備える、Ｃ１に記載の装置。
[Ｃ３]
前記第１のアンテナインターフェース回路は、第３のバンドのための第１のデュプレクサをさらに備え、前記第２のアンテナインターフェース回路は、前記第３のバンドのための第２のデュプレクサをさらに備える、Ｃ１に記載の装置。
[Ｃ４]
前記第１のアンテナインターフェース回路は、第３および第４のバンドのための第１のトリプレクサをさらに備え、前記第２のアンテナインターフェース回路は、前記第３および第４のバンドのための第２のトリプレクサをさらに備える、Ｃ１に記載の装置。
[Ｃ５]
前記第１のトリプレクサは、前記第３のバンドのための第１の送信（ＴＸ）フィルタと、前記第３のバンドのための第１の受信（ＲＸ）フィルタと、前記第４のバンドのための第２のＲＸフィルタとを備え、前記第２のトリプレクサは、前記第４のバンドのための第２のＴＸフィルタと、前記第３のバンドのための第３のＲＸフィルタと、前記第４のバンドのための第４のＲＸフィルタとを備える、Ｃ４に記載の装置。
[Ｃ６]
前記第１のトリプレクサは、前記第３のバンドのための第１の送信（ＴＸ）フィルタと、前記第４のバンドのための第２のＴＸフィルタと、前記第３および第４のバンドのための第１の受信（ＲＸ）フィルタとを備え、前記第２のトリプレクサは、前記第３のバンドのための第３のＴＸフィルタと、前記第４のバンドのための第４のＴＸフィルタと、前記第３および第４のバンドのための第２のＲＸフィルタとを備える、Ｃ４に記載の装置。
[Ｃ７]
前記第１のアンテナインターフェース回路は、第３および第４のバンドのための第３のクアドプレクサをさらに備え、前記第２のアンテナインターフェース回路は、前記第３および第４のバンドのための第４のクアドプレクサをさらに備える、Ｃ１に記載の装置。
[Ｃ８]
前記第１のアンテナインターフェース回路は、第５および第６のバンドのための第５のクアドプレクサまたは第１のトリプレクサをさらに備え、前記第２のアンテナインターフェース回路は、前記第５および第６のバンドのための第６のクアドプレクサまたは第２のトリプレクサをさらに備える、Ｃ７に記載の装置。
[Ｃ９]
前記第１のアンテナインターフェース回路は、前記第１のダイプレクサおよび前記第１のアンテナの間に結合される第１のスイッチをさらに備え、前記第２のアンテナインターフェース回路は、前記第２のダイプレクサおよび前記第２のアンテナの間に結合される第２のスイッチをさらに備える、Ｃ２に記載の装置。
[Ｃ１０]
前記第１のアンテナインターフェース回路は、前記第１のクアドプレクサおよび前記第１のダイプレクサの間に結合される第１のスイッチをさらに備え、前記第２のアンテナインターフェース回路は、前記第２のクアドプレクサおよび前記第２のダイプレクサの間に結合される第２のスイッチをさらに備える、Ｃ２に記載の装置。
[Ｃ１１]
前記第１のクアドプレクサは、前記第２のクアドプレクサの複製である、Ｃ１に記載の装置。
[Ｃ１２]
前記第１のクアドプレクサは、
第１のバンドのための第１の受信（ＲＸ）フィルタおよび第１の送信（ＴＸ）フィルタを備える第１のデュプレクサと、
第２のバンドのための第２のＲＸフィルタおよび第２のＴＸフィルタを備える第２のデュプレクサと、
前記第１および第２のデュプレクサの間に結合される整合回路とを備える、Ｃ１に記載の装置。
[Ｃ１３]
前記第１のアンテナインターフェース回路は、
前記第１のクアドプレクサに結合されるローパスフィルタと、
前記第３のクアドプレクサに結合されるハイパスフィルタとを備えるダイプレクサをさらに含む、Ｃ７に記載の装置。
[Ｃ１４]
前記第１のアンテナインターフェース回路は、前記第１のアンテナに第１のキャリア上で送信される第１の無線周波数（ＲＦ）信号の経路を設定するように構成されており、前記第２のアンテナインターフェース回路は、前記第２のアンテナに第２のキャリア上で送信される第２のＲＦ信号の経路を設定するように構成される、Ｃ１に記載の装置。
[Ｃ１５]
前記第１のアンテナインターフェース回路は、切替え制御に応答して、前記第１のアンテナへの前記第２のＲＦ信号の経路を設定するように構成されており、前記第２のアンテナインターフェース回路は、前記切替え制御に応答して、前記第２のアンテナへの前記第１のＲＦ信号の経路を設定するように構成される、Ｃ１４に記載の装置。
[Ｃ１６]
第１のアンテナを介する送信のために、第１のアンテナインターフェース回路を通る第１の無線周波数（ＲＦ）信号の経路を設定することと、前記第１のアンテナインターフェース回路は、第１および第２のバンドのための第１のクアドプレクサを備える、
第２のアンテナを介する送信のために、第２のアンテナインターフェース回路を通る第２のＲＦ信号の経路を設定することと、前記第２のアンテナインターフェース回路は、前記第１および第２のバンドのための第２のクアドプレクサを備える、を備える方法。
[Ｃ１７]
前記第１のアンテナインターフェース回路を介して前記第１のアンテナから第３のＲＦ信号を受信することと、
前記第２のアンテナインターフェース回路を介して前記第２のアンテナから第４のＲＦ信号を受信することと、をさらに備える、Ｃ１６に記載の方法。
[Ｃ１８]
前記第１のアンテナインターフェース回路を介して前記第１のアンテナから第５のＲＦ信号を受信することと、
前記第２のアンテナインターフェース回路を介して前記第２のアンテナから第６のＲＦ信号を受信することと、をさらに備える、Ｃ１７に記載の方法。
[Ｃ１９]
第１のアンテナへの第１の無線周波数（ＲＦ）信号の経路を設定するための第１の手段と、前記経路を設定するための第１の手段は、第１および第２のバンドのための第１のフィルタリング手段を備える、
第２のアンテナへの第２のＲＦ信号の経路を設定するための第２の手段と、前記経路を設定するための第２の手段は、前記第１および第２のバンドのための第２のフィルタリング手段を備える、を備える装置。
[Ｃ２０]
前記経路を設定するための第１の手段は、前記第１のアンテナから第３のＲＦ信号を受信するように構成されており、前記経路を設定するための第２の手段は、前記第２のアンテナから第４のＲＦ信号を受信するように構成される、Ｃ１９に記載の装置。
【図１】
0006416104.tif 000002
【図２】
0006416104.tif 000003
【図３】
0006416104.tif 000004
【図４Ａ】
0006416104.tif 000005
【図４Ｂ】
0006416104.tif 000006
【図４Ｃ】
0006416104.tif 000007
【図４Ｄ】
0006416104.tif 000008
【図４Ｅ】
0006416104.tif 000009
【図４Ｆ】
0006416104.tif 000010
【図４Ｇ】
0006416104.tif 000011
【図５】
0006416104.tif 000012
【図６】
0006416104.tif 000013
【図７】
0006416104.tif 000014